(57)【要約】【課題】音響による効果と振動による効果の双方を同時に高めることが可能であり、しかも、経済的にコストも低く抑えることが可能な体感音響システムを提供することである。【解決手段】音響プレーヤー４から発信される音響信号を受信するレシーバー部３と、このレシーバー部３からの信号を受信して音声を発生させるスピーカー部６と、前記レシーバー部３からの信号を受信して振動を発生させるバイブレーター部５と、前記スピーカー部６及びバイブレーター部５を内部に収容する座席部１とを有する体感音響システムであって、前記レシーバー部３は、受信した前記音響信号から低周波成分を抽出して振動用信号として前記バイブレーター部５に送信するとともに、前記音響信号を前記スピーカー部６に送信し、前記バイブレーター部５は、前記振動用信号を機械振動に変換して振動を発生させるものである。【選択図】図１
2008092122.tif 000002
【特許請求の範囲】
【請求項１】
音響プレーヤーから発信される音響信号を受信するレシーバー部と、このレシーバー部からの信号を受信して音声を発生させるスピーカー部と、前記レシーバー部からの信号を受信して振動を発生させるバイブレーター部と、前記スピーカー部及びバイブレーター部を内部に収容する座席部とを有する体感音響システムであって、前記レシーバー部は、受信した前記音響信号から低周波成分を抽出して振動用信号として前記バイブレーター部に送信するとともに、前記音響信号を前記スピーカー部に送信し、前記バイブレーター部は、前記振動用信号を機械振動に変換して振動を発生させることを特徴とする体感音響システム。
【請求項２】
前記スピーカー部は、前記座席の背もたれ部の上部に右チャネルと左チャネルを独立に設け、ステレオ音響信号を分離して音声を発生することを特徴とする請求項１記載の体感音響システム。
【請求項３】
前記スピーカー部は、前記座席の背もたれ部及び座部に５つのスピーカー及び１つのサブウーハースピーカーを備えることを特徴とする請求項１記載の体感音響システム。
【請求項４】
前記バイブレーター部は、前記座席の背もたれ部及び座部に設けられることを特徴とする請求項１乃至請求項３のいずれか１項に記載の体感音響システム。
【発明の詳細な説明】
【技術分野】
【０００１】
本発明は、音響と振動を同時に発生させてより体感の程度を高めることが可能な体感音響システムに関する。
【背景技術】
【０００２】
コンサートや映画館などでは、音響効果を高めるために、音源からのノイズを除去しながら大音量で音楽や効果音を発生させることが多い。このような場合、人間は、その五感のうち聴覚によってのみ音源からの情報を処理しており、体全体で音楽や効果音、あるいは人間を含む動物の声を感じることができず、必ずしも十分な臨場感を体感することができないという課題があった。
そこで、最近では、このような音響的な効果に加えて、低周波数成分の振動を生じさせて、より肌で感じることができる装置が開発されるようになってきた。
例えば、特許文献１に開示される発明では、低周波電流を受けて体感音響振動を発生する振動ユニットの振動面をウォーターベッドの水袋の両側部の対向位置に接触させて取り付け、該水袋の一側に接触する振動ユニットの極性と他側に接触する振動ユニットの極性とを逆極性にしたことを特徴とする体感音響振動ベッドが開示されている。
この体感音響振動ベッドにおいては、低周波電流を受けて体感音響振動を発生する振動ユニットの振動面をウォーターベッドの水袋の両側部の対向位置に接触させて取り付けることで、ウォーターベッドに寝る使用者に振動ユニットが当たらず、かつ、ウォーターベッド独特の水上の浮遊感を損なうこともない。また、振動ユニットの極性を逆にすることにより、水袋の水に振動を効率よく伝達することができる。
【０００３】
【特許文献１】実公平４−２９８２０号公報
【発明の開示】
【発明が解決しようとする課題】
【０００４】
しかしながら、特許文献１に記載された従来の技術では、体感音響装置として低周波電流を受けて体感音響振動を発生させる１種類の振動ユニットを用いるものであり、すなわち、音響信号と振動信号が同時に同一のユニットで受信されるため、人間の五感のうち、どうしても聴覚を中心とした振動ユニットの配置とならざるを得ないという課題があった。
また、対向する位置とすることで本従来の技術における効果を発揮できるものの、聴覚から遠い位置に存在する振動ユニットから発生する音響は聞き取り難く、例えば、ステレオ信号がそれぞれの一対の振動ユニットから発せられるような場合には、利用者の聴覚との距離の相違による時間遅れが生じ、せっかくのステレオ信号が機能しないという可能性もあった。この時間遅れは振動に関しても同様である。
【０００５】
本発明はかかる従来の事情に対処してなされたものであり、音響による効果と振動による効果の双方を同時に高めることが可能であり、しかも、経済的にコストも低く抑えることが可能な体感音響システムを提供することを目的とする。
【課題を解決するための手段】
【０００６】
上記目的を達成するため、請求項１記載の発明である体感音響システムは、音響プレーヤーから発信される音響信号を受信するレシーバー部と、このレシーバー部からの信号を受信して音声を発生させるスピーカー部と、前記レシーバー部からの信号を受信して振動を発生させるバイブレーター部と、前記スピーカー部及びバイブレーター部を内部に収容する座席部とを有する体感音響システムであって、前記レシーバー部は、受信した前記音響信号から低周波成分を抽出して振動用信号として前記バイブレーター部に送信するとともに、前記音響信号を前記スピーカー部に送信し、前記バイブレーター部は、前記振動用信号を機械振動に変換して振動を発生させることを特徴とするものである。
上記構成の体感音響システムでは、スピーカー部が音響信号を受信して音声を発生し、バイブレーター部が振動用信号を機械振動に変換して振動を発生するように作用し、各々別個独立して作用する。また、バイブレーター部が受信する振動用信号は、音響プレーヤーから発信される音響信号から低周波成分を抽出して生成されるため、音響信号と同期しており、スピーカー部とバイブレーター部が別個独立に作用しても、それぞれの信号に時間差を生じることがない。
【０００７】
また、請求項２に記載の発明である体感音響システムは、請求項１記載の体感音響システムにおいて、前記スピーカー部は、前記座席の背もたれ部の上部に右チャネルと左チャネルを独立に設け、ステレオ音響信号を分離して音声を発生することを特徴とするものである。
上記構成の体感音響システムでは、スピーカー部は利用者の耳の近くに配置され、ステレオ音響信号を左チャネルと右チャネルに分離して音声を発生させ、より高い臨場感を演出する作用を有する。
【０００８】
さらに、請求項３に記載の発明である体感音響システムは、請求項１記載の体感音響システムにおいて、前記スピーカー部は、前記座席の背もたれ部及び座部に５つのスピーカー及び１つのサブウーハースピーカーを備えることを特徴とするものである。
上記構成の体感音響システムでは、スピーカー部はいわゆる５．１チャンネルを備えることで、音声のより高い臨場感を演出する作用を有する。
【０００９】
請求項４に記載の発明である体感音響システムは、請求項１乃至請求項３のいずれか１項に記載の発明において、前記バイブレーター部は、前記座席の背もたれ部及び座部に設けられることを特徴とするものである。
上記構成の体感音響システムでは、バイブレーター部は背中や腰といった振動を感じることが可能な部位の近傍に配置され、より体感可能に作用する。
【発明の効果】
【００１０】
本発明の請求項１記載の体感音響システムでは、音声を発生するスピーカー部と、振動を発生するバイブレーター部が別個独立に設けられるため、音声と振動を別々に体感することが可能である。また、座席部を設けて、その内部にこれらを収容するため、利用者が座席に腰掛けて、体感音響を楽しむことが可能である。
さらに、レシーバー部を備えて音響プレーヤーからの音響信号を受信して、この音響信号から低周波成分を抽出して振動用信号としてバイブレーター部に送信するので、音響信号と振動用信号に時間遅れが生じることもなく、また、予め２種類の信号を生成する必要もないので、装置を簡素化することが可能であり、経済的コストにも優れている。
【００１１】
また、本発明の請求項２に記載の体感音響システムでは、ステレオ音響によってより高い臨場感を味わうことが可能である。
【００１２】
請求項３に記載の体感音響システムでは、５．１チャンネル音響によって、請求項２よりさらに高い臨場感を味わうことが可能である。
【００１３】
本発明の請求項４に記載の体感音響システムにおいては、スピーカー部とは独立に背中や腰にバイブレーター部を配置して、より体感性を高めることが可能である。
【発明を実施するための最良の形態】
【００１４】
以下に、本発明の最良の実施の形態に係る体感音響システムを図１乃至図４に基づき説明する。
図１は、本発明の本実施の形態に係る体感音響システムの概念図である。
図１において、本実施の形態に係る体感音響システムは、主として、ソファ１、レシーバー３、トランスミッター２、及び音響プレーヤー４から構成される。
ＤＶＤプレーヤーなどに代表される音響プレーヤー４に、ＤＶＤやＣＤをセットし、再生すること発生する音響信号は、ケーブル１８を通じてトランスミッター２に送信される。トランスミッター２は、音響プレーヤー４から受信した音響信号を無線電波１７でレシーバー３に送信する。
レシーバー３は、受信した音響信号から、低周波成分を抽出するフィルター（図示せず）を備えており、この抽出された低周波成分は、振動用信号としてレシーバー３のコネクタ１３及び振動信号ケーブル１１を介してバイブレーター５に送信される。
バイブレーター５の構造については図２を参照しながら後述する。
バイブレーター５は、背もたれ８の位置に１個、座部９に１個内蔵されている。それぞれ１個ずつ設けているが、音響プレーヤー４によって発生する音響信号がモノラル信号ではなく、ステレオ信号の場合に、低周波成分を左右独立に分離して、抽出可能にフィルターを構成する場合には、振動用信号もステレオ信号として、背もたれ８や座部９に左右の方向性を保ちながら一対ずつ設けるようにしてもよい。
【００１５】
バイブレーター５は、振動用信号を受信して、機械振動に変換して、ソファ１に座る利用者に振動を伝播する。
また、レシーバー３で受信された音響信号は、レシーバー３のコネクタ１４及び音響信号ケーブル１２を介して一対のスピーカー６ａ，６ｂに送信される。右チャネルスピーカー６ａと左チャネルスピーカー６ｂを独立に設けることで、それぞれ独立に音響信号を音声に変換することができる。音響プレーヤー４で発生した音響信号がステレオ信号の場合には、より立体感、臨場感を演出することができる。スピーカーとして、２０Hzから２０KHzの５チャンネルスピーカーに、１つのウーハーチャンネルスピーカーを備え、音響信号を５．１チャンネル信号とした場合には、さらに高い立体感及び臨場感を演出することができる。
音響信号は、レシーバー３でその低周波成分を振動用信号として抽出されるが、その低周波成分は音響信号から差し引かれるではなく、低周波成分を備えたまま音響信号としてスピーカー６ａ，６ｂに送信されるようにするとよい。
左右のスピーカー６ａ，６ｂは、背もたれ８の利用者の耳の近傍に内蔵されており、利用者が座部９に腰掛けた状態で無理なく、音声を楽しむことができる。
また、バイブレーター５を背もたれ８や座部９といった、背中や腰あるいは臀部など振動を感知しやすい部位の近傍に設けることで、スピーカー６ａ，６ｂとは異なる独立した位置で振動を感知することができ、より体感性や臨場感を醸し出すことができるのである。
【００１６】
ソファ１は、肘置き７やオットマン１０を備えるものであってもよく、これらの位置にもバイブレーター５をそれぞれ設けてもよい。肘置き７に腕を置くと腕の裏側がバイブレーター５の位置に合致し、また、オットマン１０に脚を投げ出すことで、ふくらはぎにバイブレーター５の位置が合致するなど、振動を感知しやすい部位に、より多くのバイブレーター５を配置することができ、全身で音響を体感することが可能である。
もちろん、ステレオ信号の場合には、前述のとおり低周波成分を左右で分離して振動用信号を生成し、バイブレーター５を左右それぞれ一対設けることで、より一層臨場感を高めることができる。
【００１７】
本実施の形態においては、音響プレーヤー４からトランスミッター２を介してレシーバー３で音響信号を受信しているが、音響プレーヤー４にトランスミッター機能が備わっていたり、あるいは音響プレーヤー４から直接レシーバー３を有線で接続可能であれば、トランスミッター２を設ける必要はない。
また、本実施の形態においてはレシーバー３に音響信号の低周波成分を分離するフィルターを備えたが、このフィルターは別途設けてもよく、特にレシーバー３に備えることに限定するものではない。
なお、音響プレーヤー４では電源部分が省略され記載されていないものの、もちろん電力供給を受けるものである。また、トランスミッター２及びレシーバー３はそれぞれ通常電源に接続するための電源プラグ１５，１６を備えている。
【００１８】
次に、図２を参照しながら、本実施の形態に係る体感音響システムのバイブレーターについて説明する。図２（ａ）は、本実施の形態に係る体感音響システムのバイブレーターの正面図であり、（ｂ）はそのＡ−Ａ線矢視断面図である。
図２（ａ）、（ｂ）において、バイブレーター５は、上部ケーシング２０と下部ケーシング２４の内部に振動コイル２７を設けた構成となっている。詳細には、上部ケーシング２０には、機械振動をより伝播するために大小の孔部２１，２２が穿設されている。また、この上部ケーシング２０は、下部ケーシング２４に対して、ボルト２３で着脱可能に固定されている。
下部ケーシング２４の内側には、円筒状の永久磁石３０の内部に振動コイル２７が設けられており、この振動コイル２７は、接続部２８を介して上部ケーシング２０の支持部２９に固定されている。振動コイル２７は、電流（振動用信号）を流すことで磁性を帯び磁力を発生させ、永久磁石３０の磁性による磁力と相互作用を引き起こすとで、振動コイル２７が、永久磁石３０の内側で出入りするように振動し、この振動が上部ケーシング２０に伝播して機械的な振動を発生させるものである。下部ケーシング２４の側面には、略全周に亘って側孔２６が穿設されており、外部により振動が伝播され、また、軽量化を図っている。また、下部ケーシング２４の外側にはカバー２５が設けられている。
振動コイル２７への電流（振動用信号）は、振動コイル２７に接続される内部信号配線３１から端子ラグ３３に設けられた端子３２を介して、振動信号ケーブル１１へ接続される。
【００１９】
次に、図３を参照しながら、本実施の形態に係る体感音響システムのスピーカーについて説明する。図３（ａ）は、本実施の形態に係る体感音響システムのスピーカーの正面図であり、（ｂ）はそのＢ−Ｂ線矢視断面図である。
図３（ａ）、（ｂ）において、スピーカー６は、ケーシング４０の内部に振動板４４とボイスコイル４６を設けた構成となっている。
ケーシング４０の上面には、円形に溝部４２が設けられており、その内側に音声をよりノイズ少なく伝播するために矩形孔である孔部４１が設けられている。
また、ケーシング４０の内部は、上部から支持部４３を介して、振動板４４が設けられており、その下方に接続部４５を介してボイスコイル４６が接触している。ボイスコイル４６は円筒状に構成されており、その内部には円柱状の永久磁石４７が設けられており、この永久磁石４７の重量は、保持部４８が支えている。
このように構成されるスピーカー６は、ボイスコイル４６に内部信号配線４９を介して電流（音響信号）を流すことで、ボイスコイル４６に磁場を発生させ、その磁力と永久磁石４７の磁力が相互作用を引き起こし、ボイスコイル４６が永久磁石４７の周囲で出入りするように振動し、この振動が接続部４５を介して振動板４４に伝播し、振動板４４が振動することで、音声が発生するのである。
内部信号配線４９は、端子ラグ５０を介して音響信号ケーブル１２に接続されており、音響信号ケーブル１２は、レシーバー３のコネクタ１４に接続可能に接続端子５１を備えている。
【００２０】
以上、図１乃至図３を参照して説明したとおり、本実施の形態に係る体感音響システムは、簡単な構造を備えつつ、スピーカー６とバイブレーター５を分離独立に設けて、音響による効果と振動による効果を同時に高めることにより、体感性や臨場感をより高めることが可能である。また、音響プレーヤーからの音響信号から低周波成分を抽出して振動用信号としてバイブレーター５に送信するので、音響信号と振動用信号に時間遅れが生じることもなく、また、予め２種類の信号を生成する必要もないので、装置を簡素化することも可能である。
さらに、スピーカー６を、ソファ１の背もたれ部の上部に右チャネルと左チャネルに分けて独立に設け、ステレオ音響信号を分離して音声を発生することで、より高い臨場感を得ることができる。バイブレーター５をステレオ信号に合わせて分離して独立に設けても同様の効果を得ることができる。
【産業上の利用可能性】
【００２１】
以上説明したように、本発明の請求項１乃至請求項３に記載された体感音響システムは、一般家庭において広くリビングルームなどに設置する体感音響システムとして利用可能である。
また、映画館やコンサートホールあるいはゲームセンターなどのアミューズメント施設などにおいて設置して、より体感性を高めたシステムとして利用することも可能である。
【図面の簡単な説明】
【００２２】
【図１】本発明の本実施の形態に係る体感音響システムの概念図である。
【図２】（ａ）は、本実施の形態に係る体感音響システムのバイブレーターの正面図であり、（ｂ）は、（ａ）中に示されるＡ−Ａ線矢視断面図である。
【図３】（ａ）は、本実施の形態に係る体感音響システムのスピーカーの正面図であり、（ｂ）は、（ａ）中に示されるＢ−Ｂ線矢視断面図である。
【符号の説明】
【００２３】
１…ソファ  ２…トランスミッター  ３…レシーバー  ４…音響プレーヤー  ５…バイブレーター  ６…スピーカー  ６ａ…右チャネルスピーカー  ６ｂ…左チャネルスピーカー  ７…肘置き  ８…背もたれ  ９…座部  １０…オットマン  １１…振動信号ケーブル  １２…音響信号ケーブル  １３…コネクタ  １４…コネクタ  １５…電源プラグ  １６…電源プラグ  １７…無線電波  １８…ケーブル  ２０…上部ケーシング  ２１…孔部  ２２…孔部  ２３…ボルト  ２４…下部ケーシング  ２５…カバー  ２６…側孔  ２７…振動コイル  ２８…接続部  ２９…支持部  ３０…永久磁石  ３１…内部信号配線  ３２…端子  ３３…端子ラグ  ４０…ケーシング  ４１…孔部  ４２…溝部  ４３…支持部  ４４…振動板  ４５…接続部  ４６…ボイスコイル  ４７…永久磁石  ４８…保持部  ４９…内部信号配線  ５０…端子ラグ  ５１…接続端子
【図１】
2008092122.tif 000003
【図２】
2008092122.tif 000004
【図３】
2008092122.tif 000005